(57)【要約】【課題】物品等を探索する場合、物品等に無線タグが備わっていなくても効率よく探索し、発見の確率を向上すること。【解決手段】携帯端末装置１０２は、依頼された物品１０３Ａの特徴情報の存在を検知したとき、物品管理サーバ１０４に該検知した位置情報および時間情報を、その物品の特徴情報とともに通知し、物品管理サーバ１０４は、端末装置１０２２に検知した位置情報、時間情報および対象の特徴情報に基づいて推定される対象の位置情報を通知し、端末装置１０２２に出力させる。【選択図】図１
2008245065.tif 000002
【特許請求の範囲】
【請求項１】
探索したい対象および該探索したい対象の特徴情報を少なくとも含む探索依頼情報を送ることで、該対象が存在する位置の探索を管理サーバに依頼する端末装置と、
前記端末装置からの探索依頼を受け付け、前記探索依頼情報に基づき、少なくとも、個々の対象を識別するための対象識別情報および個々の対象が持つ対象の特徴情報を含んで構成される対象情報を移動体通信装置に発行する管理サーバと、
対象の特徴情報を取得する手段と、自機の位置を測位する手段とを有し、前記管理サーバから取得した前記対象情報に基づき、依頼された対象の特徴情報が存在する位置の探索を行なう少なくとも１つ以上の移動体通信装置とを備える探索システムであって、
前記移動体通信装置は、依頼された対象の特徴情報の存在を検知したとき、前記管理サーバに該検知した位置情報および時間情報を、その対象の特徴情報とともに通知し、
前記管理サーバは、前記端末装置に前記検知した位置情報、時間情報および対象の特徴情報に基づいて推定される対象の位置情報を通知し、前記端末装置に出力させることを特徴とする探索システム。
【請求項２】
前記管理サーバ装置は、前記端末装置から受け付けた、優先的に探索を行う領域を示す優先探索エリア情報を保持し、該優先探索エリア情報に基づいて所定のエリアに存在する前記移動体通信装置に優先的に探索させることを特徴とする請求項１記載の探索システム。
【請求項３】
前記移動体通信装置は、依頼された対象の特徴情報の存在を検知したとき、前記管理サーバに該検知した位置情報および時間情報を、その対象の特徴情報とともに定期的に通知することを特徴とする請求項１または２記載の探索システム。
【請求項４】
探索したい対象および該探索したい対象の特徴情報を少なくとも含む探索依頼情報を送ることで、該対象が存在する位置の探索を管理サーバに依頼する端末装置と、
前記端末装置からの探索依頼を受け付け、前記探索依頼情報に基づき、少なくとも、個々の対象を識別するための対象識別情報および個々の対象が持つ対象の特徴情報を含んで構成される対象情報を移動体通信装置に発行する管理サーバと、
対象の特徴情報を取得する手段と、自機の位置を測位する手段とを有し、前記管理サーバから取得した前記対象情報に基づき、依頼された対象の特徴情報が存在する位置の探索を行なう少なくとも１つ以上の移動体通信装置とを備える探索システムにおける管理サーバであって、
前記移動体通信装置から、依頼された対象の特徴情報の存在を検知したとき、該検知した位置情報および時間情報を、その対象の特徴情報とともに通知を受け、
前記端末装置に前記検知した位置情報、時間情報および対象の特徴情報に基づいて推定される対象の位置情報を通知し、前記端末装置に出力させることを特徴とする管理サーバ。
【請求項５】
前記端末装置から受け付けた、優先的に探索を行う領域を示す優先探索エリア情報を保持し、該優先探索エリア情報に基づいて所定のエリアに存在する前記移動体通信装置に優先的に探索させることを特徴とする請求項４記載の管理サーバ。
【請求項６】
前記移動体通信装置から、依頼された対象の特徴情報の存在を検知したとき、該検知した位置情報および時間情報を、その対象の特徴情報とともに定期的に通知を受けることを特徴とする請求項４または５記載の管理サーバ。
【請求項７】
探索したい対象および該探索したい対象の特徴情報を少なくとも含む探索依頼情報を送ることで、該対象が存在する位置の探索を管理サーバに依頼する端末装置と、
前記端末装置からの探索依頼を受け付け、前記探索依頼情報に基づき、少なくとも、個々の対象を識別するための対象識別情報および個々の対象が持つ対象の特徴情報を含んで構成される対象情報を移動体通信装置に発行する管理サーバと、
対象の特徴情報を取得する手段と、自機の位置を測位する手段とを有し、前記管理サーバから取得した前記対象情報に基づき、依頼された対象の特徴情報が存在する位置の探索を行なう少なくとも１つ以上の移動体通信装置とを備える探索システムにおける移動体通信装置であって、
依頼された対象の特徴情報の存在を検知したとき、前記管理サーバに該検知した位置情報および時間情報を、その対象の特徴情報とともに通知し、
前記管理サーバから、前記端末装置に前記検知した位置情報、時間情報および対象の特徴情報に基づいて推定される対象の位置情報の通知を受け、出力することを特徴とする探索システム。
【請求項８】
探索したい対象および該探索したい対象の特徴情報を少なくとも含む探索依頼情報を送ることで、該対象が存在する位置の探索を管理サーバに依頼する端末装置と、
前記端末装置からの探索依頼を受け付け、前記探索依頼情報に基づき、少なくとも、個々の対象を識別するための対象識別情報および個々の対象が持つ対象の特徴情報を含んで構成される対象情報を移動体通信装置に発行する管理サーバと、
対象の特徴情報を取得する手段と、自機の位置を測位する手段とを有し、前記管理サーバから取得した前記対象情報に基づき、依頼された対象の特徴情報が存在する位置の探索を行なう少なくとも１つ以上の移動体通信装置とを利用した探索方法であって、
前記移動体通信装置は、依頼された対象の特徴情報の存在を検知したとき、前記管理サーバに該検知した位置情報および時間情報を、その対象の特徴情報とともに通知し、
前記管理サーバは、前記端末装置に前記検知した位置情報、時間情報および対象の特徴情報に基づいて推定される対象の位置情報を通知し、前記端末装置に出力させることを特徴とする探索方法。
【請求項９】
前記管理サーバ装置は、前記端末装置から受け付けた、優先的に探索を行う領域を示す優先探索エリア情報を保持し、該優先探索エリア情報に基づいて所定のエリアに存在する前記移動体通信装置に優先的に探索させることを特徴とする請求項８記載の探索方法。
【請求項１０】
前記移動体通信装置は、依頼された対象の特徴情報の存在を検知したとき、前記管理サーバに該検知した位置情報および時間情報を、その対象の特徴情報とともに定期的に通知することを特徴とする請求項８または９記載の探索方法。
【請求項１１】
コンピュータシステムに請求項１から７のいずれか１項に記載の機能を実現させることを特徴とするプログラム。
【発明の詳細な説明】
【技術分野】
【０００１】
本発明は、物品等の探索をする技術に関し、特に、携帯端末等を利用したもので、携帯端末等に各種のセンサーを取り付け、物品等の探索を行なう技術に関する。
【背景技術】
【０００２】
携帯電話機など移動体通信装置の分野においては、自己の位置を計測するＧＰＳ（Global Positioning System）が組み込まれた携帯電話機などが実用化され、ＧＰＳのような測位機能が携帯電話機等に標準で装備されてきている。
【０００３】
また、無線タグと呼ばれる電子回路が組み込まれたタグを物品等に取り付けて、無線タグ検出器により無線タグに埋め込まれた情報を読み取り、その物品のＩＤコード、所有者などが判別できる仕組みができつつある。
【０００４】
上述の技術動向を踏まえ、無線タグを取り付けた物品を紛失したり、あるいは盗難に遭ったときに、複数の移動体通信装置を利用して上記物品を探索し、発見に寄与するようなシステムが提案されている（例えば、特許文献１参照）。
【特許文献１】特開２００５−００３６２７号公報
【発明の開示】
【発明が解決しようとする課題】
【０００５】
しかしながら、従来の探索システムは、無線タグの内容を、移動体通信装置を利用して、通知する方式であり、無線タグが備わっていない物品等についての捜索は考慮されていないという課題を有していた。
【０００６】
本発明は、以上のような課題を解決するためになされたもので、物品等を探索する場合、物品等に無線タグが備わっていなくても効率よく探索し、発見の確率を向上することを目的とする。
【課題を解決するための手段】
【０００７】
本発明は、探索したい対象および該探索したい対象の特徴情報を少なくとも含む探索依頼情報を送ることで、該対象が存在する位置の探索を管理サーバに依頼する端末装置と、
前記端末装置からの探索依頼を受け付け、前記探索依頼情報に基づき、少なくとも、個々の対象を識別するための対象識別情報および個々の対象が持つ対象の特徴情報を含んで構成される対象情報を移動体通信装置に発行する管理サーバと、
対象の特徴情報を取得する手段と、自機の位置を測位する手段とを有し、前記管理サーバから取得した前記対象情報に基づき、依頼された対象の特徴情報が存在する位置の探索を行なう少なくとも１つ以上の移動体通信装置とを備える探索システムであって、
前記移動体通信装置は、依頼された対象の特徴情報の存在を検知したとき、前記管理サーバに該検知した位置情報および時間情報を、その対象の特徴情報とともに通知し、
前記管理サーバは、前記端末装置に前記検知した位置情報、時間情報および対象の特徴情報に基づいて推定される対象の位置情報を通知し、前記端末装置に出力させる探索システムを提供する。
【０００８】
また、本発明は、探索したい対象および該探索したい対象の特徴情報を少なくとも含む探索依頼情報を送ることで、該対象が存在する位置の探索を管理サーバに依頼する端末装置と、
前記端末装置からの探索依頼を受け付け、前記探索依頼情報に基づき、少なくとも、個々の対象を識別するための対象識別情報および個々の対象が持つ対象の特徴情報を含んで構成される対象情報を移動体通信装置に発行する管理サーバと、
対象の特徴情報を取得する手段と、自機の位置を測位する手段とを有し、前記管理サーバから取得した前記対象情報に基づき、依頼された対象の特徴情報が存在する位置の探索を行なう少なくとも１つ以上の移動体通信装置とを備える探索システムにおける管理サーバであって、
前記移動体通信装置から、依頼された対象の特徴情報の存在を検知したとき、該検知した位置情報および時間情報を、その対象の特徴情報とともに通知を受け、
前記端末装置に前記検知した位置情報、時間情報および対象の特徴情報に基づいて推定される対象の位置情報を通知し、前記端末装置に出力させる管理サーバを提供する。
【０００９】
また、本発明は、探索したい対象および該探索したい対象の特徴情報を少なくとも含む探索依頼情報を送ることで、該対象が存在する位置の探索を管理サーバに依頼する端末装置と、
前記端末装置からの探索依頼を受け付け、前記探索依頼情報に基づき、少なくとも、個々の対象を識別するための対象識別情報および個々の対象が持つ対象の特徴情報を含んで構成される対象情報を移動体通信装置に発行する管理サーバと、
対象の特徴情報を取得する手段と、自機の位置を測位する手段とを有し、前記管理サーバから取得した前記対象情報に基づき、依頼された対象の特徴情報が存在する位置の探索を行なう少なくとも１つ以上の移動体通信装置とを備える探索システムにおける移動体通信装置であって、
依頼された対象の特徴情報の存在を検知したとき、前記管理サーバに該検知した位置情報および時間情報を、その対象の特徴情報とともに通知し、
前記管理サーバから、前記端末装置に前記検知した位置情報、時間情報および対象の特徴情報に基づいて推定される対象の位置情報の通知を受け、出力する移動体通信装置を提供する。
【００１０】
また、本発明は、探索したい対象および該探索したい対象の特徴情報を少なくとも含む探索依頼情報を送ることで、該対象が存在する位置の探索を管理サーバに依頼する端末装置と、
前記端末装置からの探索依頼を受け付け、前記探索依頼情報に基づき、少なくとも、個々の対象を識別するための対象識別情報および個々の対象が持つ対象の特徴情報を含んで構成される対象情報を移動体通信装置に発行する管理サーバと、
対象の特徴情報を取得する手段と、自機の位置を測位する手段とを有し、前記管理サーバから取得した前記対象情報に基づき、依頼された対象の特徴情報が存在する位置の探索を行なう少なくとも１つ以上の移動体通信装置とを利用した探索方法であって、
前記移動体通信装置は、依頼された対象の特徴情報の存在を検知したとき、前記管理サーバに該検知した位置情報および時間情報を、その対象の特徴情報とともに通知し、
前記管理サーバは、前記端末装置に前記検知した位置情報、時間情報および対象の特徴情報に基づいて推定される対象の位置情報を通知し、前記端末装置に出力させる探索方法を提供する。
【発明の効果】
【００１１】
本発明によれば、物品等を探索する場合、物品等に無線タグが備わっていなくても効率よく探索し、発見の確率を向上することができる。
【発明を実施するための最良の形態】
【００１２】
以下、本発明の実施の形態について図面を参照して詳細に説明する。
【００１３】
図１は、本実施の形態における探索システムの全体の構成図である。図１では、ある物品を所有する所有者が、エリア２００で示す地域において、その物品１０３Ａ（あるいは物品１０３Ｂ）を探索する場合を示している。また、この物品１０３Ａには、表面に色のついた柄があり、特殊なノイズ音を発生するものとする。
【００１４】
このような状況を想定し、まず、物品１０３Ａの探索を可能とした本実施の形態における探索システムの全体構成の概要について説明する。
【００１５】
図１において、端末装置１０２２は、後述する物品管理サーバ１０４に対して、物品等を探索したい場合に、その物品の特徴を示す情報（以下、「特徴情報」という）を持つ物品が存在する位置の探索を依頼する探索依頼などを行なう情報処理装置である。なお、端末装置１０２２は、携帯端末装置であってもよい。端末装置１０２２は、インターネットなどのネットワークを介して、物品管理サーバ１０４に接続され、両者間での情報通信が可能である。
【００１６】
端末装置１０２２において、ある特徴情報を持つ物品を探索したいとき、その紛失した物品が存在する位置の探索を物品管理サーバ１０４に依頼する。端末装置１０２２は、探索したい物品、探索したい物品の特徴情報およびその物品の推定される場所としての優先探索エリア情報を含む探索依頼情報と、その探索依頼情報を取得した時間情報とを物品管理サーバ１０４に送信し、その物品の探索依頼を行なう。
【００１７】
物品管理サーバ１０４は、例えば、各物品の特徴情報と位置情報、およびこれらの情報を取得した時間情報を管理する情報処理装置である。
【００１８】
物品管理サーバ１０４は、端末装置１０２２からの探索依頼を受け付け、探索依頼情報に基づいて、物品に関する情報としての物品情報を生成する。
【００１９】
物品管理サーバ１０４は、探索依頼を後述する携帯端末装置１０２に対して発行し、携帯端末装置１０２から探索結果を受け取ってデータベース１０４Ｄを作成、随時更新を行なう。そして、その探索結果を探索依頼した端末装置１０２２に対して通知する。
【００２０】
物品管理サーバ１０４は、端末装置１０２２からの物品の探索依頼を受け付ける際に、特に、物品の特徴情報およびその物品があると推定される場所の情報を優先探索エリア情報として受け付けてもよい。
【００２１】
優先探索エリア情報としては、例えば、その物品の推定場所として、建物のある階層、または、ある位置を中心とした半径長で示されるような領域あるいは範囲を示すような情報として指定される。例えば、「２Ｆフロア、または柱番号１−３から半径５００ｍ以内」のような情報である。
【００２２】
また、物品管理サーバ１０４は、探索依頼情報に基づき、物品に関する情報としての物品の特徴情報を、後述する携帯端末装置１０２に対して発行する際に、優先探索エリア（例えば、図１の２００に示すエリア）に存在する携帯端末装置１０２に優先的に発行することを特徴とする。
【００２３】
このような特徴を有した機能を実現するため、まず、物品管理サーバ１０４は、携帯端末装置１０２から基地局１０１を介して、携帯端末装置１０２の所持者が探索を希望する旨の探索希望要求とともに探索を希望する領域を示した希望探索エリア情報（以下、「希望エリア情報」という）を受け付ける。なお、基地局１０１は、物品管理サーバ１０４と後述する携帯端末装置１０２との間で通信するための通信手段である。
【００２４】
また、物品管理サーバ１０４のエリア選択手段は、携帯端末装置１０２からの希望エリア情報と探索依頼情報ＤＢからの依頼エリア情報とを受け取る。さらに、エリア選択手段は、受け取った希望エリア情報と依頼エリア情報とが示す領域が全部または一部で合致するエリア指定された探索依頼情報を、探索依頼情報ＤＢから抽出する。
【００２５】
さらに、物品管理サーバ１０４の物品通知手段は、エリア選択手段により抽出されたエリア指定の探索依頼情報に基づき、物品情報を生成する。物品管理サーバ１０４の通信部は、この生成した物品情報を受け取り、探索希望要求を発行した携帯端末装置１０２に対し、この物品情報、すなわちエリア指定された探索依頼情報を通知する。
【００２６】
さらに、物品管理サーバ１０４は、携帯端末装置１０２から、物品の特徴と位置・時間情報を定期的に取得し、データベース１０４Ｄを作成する。
【００２７】
端末装置１０２２には、作成されたデータベース１０４Ｄをもとに、特徴を有する物品があると思われる位置情報とその携帯端末装置１０２がセンサーにより取得した物品の特徴情報、およびその情報を確認した時間を端末装置１０２２の画面上に表示させる（図４参照）。
【００２８】
携帯端末装置１０２は、物品管理サーバ１０４と通信可能な移動体通信装置であり、さらに、自己の位置を検知することが可能なＧＰＳなどの測位手段を有している。さらに、携帯端末装置１０２は、音・画像センサーなどを持ち、周辺にある物品の特徴情報を測定および分析する機能を有している。
【００２９】
また、本実施の形態の探索システムは、このような携帯端末装置１０２を複数使用し、移動が可能な複数の携帯端末装置１０２により、物品の探索を行なうシステムである。
【００３０】
携帯端末装置１０２は、音・画像センサーなどをもち、周辺にある物品の特徴情報を測定および分析する機能を有するため、物品管理サーバ１０４からの物品捜索情報に基づき、依頼された特徴が存在する物品の位置の探索ができる。
【００３１】
また、携帯端末装置１０２は、依頼された物品の特徴情報の存在とともに、測位手段により、依頼された物品が存在する位置の情報である位置情報および測定した時間の情報を、物品管理サーバ１０４に対して通知する。
【００３２】
物品管理サーバ１０４は、通知された物品の特徴情報と位置、および測定が行われた時間の情報を取得し、データベース１０４Ｄの更新を行なう。
【００３３】
以上のような本発明の探索システムの構成により、例えば、物品１０３Ａを探索したい場合に、端末装置１０２２から物品管理サーバ１０４に依頼することで、複数の携帯端末装置１０２によりセンサーを利用して探索できる。
【００３４】
そして、物品１０３Ａの特徴を持つ物品が存在する位置、あるいは近辺の位置を検知した携帯端末装置１０２からの検知位置情報の通知により、依頼者は、物品１０３Ａの位置、あるいは近辺の位置を絞り込むことができる。
【００３５】
物品管理サーバ１０４の物品情報提供部１０４Ｂは、端末装置１０２２から物品管理サーバ１０４にアクセスされると、端末装置１０２２にページ情報を取得させ、取得させたページ情報の中に、物品の特徴情報を要求する表示と、探索エリア情報を要求する表示と、決定選択表示とを表示部に出力させる（図３参照）。
【００３６】
端末装置１０２２のユーザは、探索を行いたい物品の特徴情報、および、優先的に探索するエリア情報を特定の場所名または位置情報とその範囲として入力し、決定選択することで、入力した特徴情報および位置情報が物品管理サーバ１０４の物品情報提供部１０４Ｂに送信される。
【００３７】
なお、物品の特徴情報は、その特徴を現す画像データまたは音声データの指定による入力であっても良い。また、特定の場所名または位置情報は、表示部に表示された地図上の特定地点の指定による入力であってもよい。
【００３８】
図４に示すように、物品管理サーバ１０４の物品情報提供部１０４Ｂは、物品情報を要求があった端末装置１０２２に送信し、端末装置１０２２の表示上に物品の位置情報を表示させ、探索者が物品の探索状況を確認することを可能にする。なお、物品の特徴情報については、測定された情報を詳しく表示する機能があってもよい。
【００３９】
図５は、図１における場所名・位置範囲変換サーバ１０５の場所名データベース１０５Ａに保持される、特定の場所名に対する位置範囲のデータを説明する図である。図５に示すように、場所名データベース１０５Ａには特定の場所名毎の位置範囲情報が２次元または３次元データとして保持され、囲まれる位置範囲が特定の場所名「２Ｆフロアの２０１号室」等に変換される。なお、場所名データベース１０５Ａは随時情報の修正、追加、削除が可能である。
【００４０】
図６は、携帯端末装置１０２のセンサー部の詳細を示すブロック図である。図６に示すように、センサー部１１は、物品の特徴情報を記憶する特徴記憶部１１１、センサーにより物品の情報を取得するセンサー部１１２、取得した情報から特徴を分析・抽出する特徴分析部１１３、測位部１１４、通信部１１５、およびセンサー部全体を制御する制御部１１０により構成される。
【００４１】
センサー部１１２は、端末装置１０２２から入力された物品の特徴情報に類似の情報をセンサーを利用して周辺の物品から情報を収集する。
【００４２】
特徴記憶部１１１は、探索希望要求に対し物品管理サーバ１０４から送られてきた物品の特徴情報を記憶する。
【００４３】
特徴分析部１１３は、センサー部１１２から取得した物品情報から物品の特徴データを分析・抽出する。特に物品の探索に使用する情報・パターンを抽出し、特徴記憶部１１１に記憶した特徴情報との比較を行なう。
【００４４】
類似した特徴が発見された場合は、その物品の特徴情報を、測位部１１４からの物品の位置情報および発見した時間の情報とともに、物品管理サーバ１０４に通信部１１５を利用して送信する。測位部１１４は、例えばＧＰＳにより携帯端末装置１０２の現在位置情報を検出する。携帯端末装置１０２は、人工衛星である複数のＧＰＳ衛星１０３に衛星回線で接続され、ＧＰＳ衛星１０３からの電波を基にして自機の位置情報を２次元または３次元情報として提供される。
【００４５】
図２は、物品管理サーバ１０４のデータベース１０４Ｄの構成例を示した図である。図２では、物品情報が、電話・ＩＰアドレス情報、位置情報、物品の特徴情報、および
測定日時により構成された一例を示している。
【００４６】
電話・ＩＰアドレス情報は、物品の情報を取得した携帯端末装置１０２の持つ電話番号またはＩＰアドレスであり、また、位置は、物品の情報を取得したときの携帯端末装置１０２および物品の位置情報であり、また、物品の特徴は、センサーが測定した色柄、音声などの物品の特徴情報であり、また、測定日時は特徴情報を測定した時間である。
【００４７】
以下、図面を参照し、以上のように構成された本実施の形態における探索システムにより、物品を発見するための、各装置における動作について詳細に説明する。
【００４８】
まず、物品１０３Ａを捜索したい場合について図７を用いて説明する。
端末装置１０２２から、探索したい物品１０３Ａに関する情報を物品管理サーバ１０４に送信し、物品１０３Ａの探索を依頼する。
【００４９】
このとき、端末装置１０２２からは、少なくとも、物品１０３Ａの特徴情報および、もし分かるのであれば物品の場所に関して優先的に探索するエリア情報を物品管理サーバ１０４に報告する。優先探索エリア情報の例としては、「２Ｆフロア」「２０１−２０４号室」などのような情報がある。
【００５０】
物品管理サーバ１０４は、優先探索エリア情報を場所名・位置範囲変換サーバ１０５に送信し、場所名・位置範囲変換サーバ１０５は、場所名データベース１０５Ａを利用して、優先探索エリア情報を２次元または３次元の座標情報に変換する。
【００５１】
物品管理サーバ１０４の物品情報提供部１０４Ｂは、端末装置１０２２からの優先探索エリア情報に基づき、優先探索エリア情報が示す領域にある携帯端末装置１０２に対して、優先的に物品探索の依頼情報を送信する。これにより、物品を探索する準備が完了する。
【００５２】
物品情報提供部１０４Ｂの動作について、より具体的な一例を挙げる。例えば、依頼内容として、「２Ｆフロア」という優先探索エリアの希望要求があった場合、物品情報提供部１０４Ｂは、優先探索エリアが示す領域を場所名・位置範囲変換サーバ１０５により座標情報に変換する。
【００５３】
そして、この座標範囲を通過する携帯端末装置１０２には、物品探索要求として、探索依頼のあった物品の特徴情報が通知される。
【００５４】
携帯端末装置１０２を所持した人物が、探索するエリアを移動することにより、通知された物品の探索が行われることとなる。
【００５５】
携帯端末装置１０２は、自機の移動に伴って、センサー部１１２により周辺の物品から色や音などの情報を取得する。特徴分析部１１３は、取得した測定情報から特徴情報を分析・抽出し、特徴記憶部１１１に記憶されている特徴情報と比較を行なう。
【００５６】
携帯端末装置１０２が、探索をおこなっている物品と類似の特徴のある物品を発見した場合、通信部１１５は、発見した物品の特徴情報と測定を行った時間を物品管理サーバ１０４に通知する。同時に、測位部１１４は、発見場所付近の位置情報を獲得し、検知位置情報として通信部１１５に通知する（Ｓ２１１）。
【００５７】
物品管理サーバ１０４は、この通知を受け付け、発見物品の特徴情報、位置および測定時間情報を、データベース１０４Ｄに登録する（Ｓ２１２）。定期的に通知を受け付けることで時系列での追跡分析も可能となる。
【００５８】
端末装置１０２２は、物品情報提供部１０４Ｂにアクセスすることで、探索している物品と類似の物品の位置を特定することができる。表示例としては、図４が考えられる。
【００５９】
端末装置１０２２は、障害情報提供部１０４Ｂにアクセスすることで、探索している障害と類似の障害の位置を特定することができる。表示例としては、図４が考えられる。
【００６０】
すなわち、物品情報提供部１０４Ｂが特定の場所名または位置の物品情報を要求すると（Ｓ２１３）、物品情報提供部１０４Ｂは、データベース１０４Ｄおよび場所名データベース１０５Ａを参照して、特定の場所名または位置の周囲の物品情報を取得する（Ｓ２１４）。
【００６１】
次に、物品管理サーバ１０４から場所名・位置範囲変更サーバ１０５へ特定の場所名を渡す（Ｓ２１５）。
【００６２】
場所名・位置範囲変更サーバ１０５は、データベース１０５Ａを参照して特定の場所の物品情報を基にその場所にあると思われる物品情報を取得する（Ｓ２１６）。
【００６３】
物品情報提供部１０４Ｂは、位置周囲の物品情報と場所名・位置範囲変更サーバ１０５から取得した物品情報を端末装置１０２２に通知する（Ｓ２１７）。
【００６４】
なお、本探索システムは、有形の固形物である物品だけによらず、気体、液体、半流動体や、動くもの（車や人など）、の捜索にも適用可能である。
【００６５】
以上説明したように、本実施の形態における探索システムは、不特定多数の移動体通信装置に各種センサーを搭載し、さらに測定データを分析する特徴分析部を設けることで、近傍にある物品等から特徴データを抽出して、類似の特徴のある物品等の位置を探索する。
【００６６】
特に、本実施の形態における探索システムは、各種センサーを利用して探索を行なうため、無線タグなどが装備されていないさまざまな物品の探索に有効である。なお、本探索システムは、無線タグや測定機１０２１を使用した探索システムに、補助的な形で使用することも可能である。
【００６７】
なお、上述する各実施の形態は、本発明の好適な実施の形態であり、本発明の要旨を逸脱しない範囲内において種々変更実施が可能である。例えば、端末装置１０２２、携帯端末装置１０２および各サーバの機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００６８】
【図１】本発明の実施の形態に係る探索システムの全体の構成図である。
【図２】本発明の実施の形態に係る物品管理サーバ装置のデータベースの構成例を示した図である。
【図３】本発明の実施の形態に係る端末装置の探索情報の入力画面を説明する図である。
【図４】本発明の実施の形態に係る端末装置の探索結果表示画面を説明する図である。
【図５】本発明の実施の形態に係る位置管理サーバのデータベースに保持される、特定の場所名に対する位置範囲のデータを説明する図である。
【図６】本発明の実施の形態における探索システムの携帯端末装置の詳細を示すブロック図である。
【図７】本発明の実施の形態に係る処理動作を示すフローチャートである。
【符号の説明】
【００６９】
１０１    基地局
１０２    携帯端末装置
１０３    ＧＰＳ衛星
１０３Ａ，１０３Ｂ    物品
１０４    物品管理サーバ
１０５    場所名・位置範囲変換サーバ
１０２２    端末装置
２００    優先探索エリア
【図１】
2008245065.tif 000003
【図２】
2008245065.tif 000004
【図３】
2008245065.tif 000005
【図４】
2008245065.tif 000006
【図５】
2008245065.tif 000007
【図６】
2008245065.tif 000008
【図７】
2008245065.tif 000009